(57)【特許請求の範囲】
【請求項１】
本体部と、
ランプと、
前記本体部に設けられて前記ランプを収容するランプ室と、
前記本体部において前記ランプ室の外部に設けられるとともにこの本体部を支持するための支持部材を取り付け可能な取付部と、
前記本体部内において前記ランプ室と他の領域とを仕切る隔壁と、
一端部が前記本体部において前記ランプ室の外部に固定されるとともに他端部が前記支持部材に連結される第１の落下防止部材と、
一端部がランプ室内において前記取付部の近傍であって前記隔壁の近傍位置に固定されるとともに他端部が前記一端部の固定位置よりも前記取付部に対して離間した位置に固定される第２の落下防止部材と、
前記第１の落下防止部材の一端部が固定される第１の固定位置と前記第２の落下防止部材の一端部が固定される第２の固定位置とを繋ぐ接続部と、
を備える照明器具。
【請求項２】
前記接続部が前記本体部における外壁部の厚さを他の部分よりも大きくすることによって設けられるものである、請求項１に記載の照明器具。
【請求項３】
前記本体部には、前記ランプ室に設けられて前記ランプからの光を出射する出射口と、前記出射口に嵌め付けられて前記ランプからの光を透過する透過板とが設けられ、
前記第２の落下防止部材が前記透過板を前記出射口に固定する押さえ部材である、請求項１または請求項２に記載の照明器具。
【発明の詳細な説明】
【技術分野】
【０００１】
本発明は、照明器具に関する。
【背景技術】
【０００２】
道路照明用の照明器具において、照明器具と、この照明器具を取り付けるポールとの間が落下防止用のワイヤにより繋がれているものがある（例えば特許文献１参照）。ワイヤの一端部はポールに連結され、他端部は照明器具内の適切な箇所に固定される。このような構成によれば、ポールに自動車が衝突するなどして衝撃が加えられ、照明器具のポールに対する取り付け部分に破損が生じた場合でも、照明器具の落下を防止することができる。
【特許文献１】実開昭６２−１６９４１１号公報
【発明の開示】
【発明が解決しようとする課題】
【０００３】
ところが、照明器具においてランプが収容されるランプ室は、外部からの埃や雨などの侵入を防ぐため、水密状態とされているのが一般的である。したがって、ランプ室の水密状態を確保するためには、ワイヤにおける照明器具側の端部を、このランプ室よりも手前（ポール側）に固定せざるを得ない。
【０００４】
このような構成では、例えば重大な交通事故や大地震等によってポールに極めて大きな衝撃が加わり、その衝撃がワイヤの固定位置よりも先端側にまで伝わった場合には、照明器具が割れるなどして落下するおそれがなお残されている。このため、より確実な安全策が求められている。
【０００５】
本発明は、上記した事情に鑑みてなされたものであり、その目的は、落下を確実に防止できる照明器具を提供することにある。
【課題を解決するための手段】
【０００６】
本発明の照明器具は、本体部と、ランプと、前記本体部に設けられて前記ランプを収容するランプ室と、前記本体部において前記ランプ室の外部に設けられるとともにこの本体部を支持するための支持部材を取り付け可能な取付部と、前記本体部内において前記ランプ室と他の領域とを仕切る隔壁と、一端部が前記本体部において前記ランプ室の外部に固定されるとともに他端部が前記支持部材に連結される第１の落下防止部材と、一端部がランプ室内において前記取付部の近傍であって前記隔壁の近傍位置に固定されるとともに他端部が前記一端部の固定位置よりも前記取付部に対して離間した位置に固定される第２の落下防止部材と、前記第１の落下防止部材の一端部が固定される第１の固定位置と前記第２の落下防止部材の一端部が固定される第２の固定位置とを繋ぐ接続部と、を備えるものである。
【０００７】
本発明において、接続部は本体部の外壁部において２つの落下防止部材の一端部の固定位置にわたる部分の厚さを他の部分よりも大きくすることで剛性を大きくしたものであってもよい。このようにすれば、接続部を別部材により形成する場合に比べ、部品点数を増やさなくて済むため、好ましい。
【０００８】
また、第２の落下防止部材が、ランプからの光を出射する出射口に嵌め付けられる透過板を抑えるための押さえ部材を兼ねていてもよい。このようにすれば、部品点数の削減を図れるため、好ましい。
【発明の効果】
【０００９】
本発明によれば、ランプ室外に配されて支持部材に連結される第１の落下防止部材と、ランプ室内に配される第２の落下防止部材とが設けられ、これら２つの落下防止部材の間が接続部で繋がれている。このような構成によれば、支持部材からランプ室内までを２つの落下防止部材と接続部とで繋ぎとめることができるため、ランプ室部分で破損が起こった場合でも、照明器具の落下を防止することができる。
【発明を実施するための最良の形態】
【００１０】
以下、本発明を具体化した一実施形態について、図１〜図８を参照しつつ詳細に説明する。図１には、本発明を具体化した照明器具１を示す。この照明器具１は、道路の照明用として使用されるものであって、道路脇に立設されたポールＰの上部に取り付けられて使用されるものである。
【００１１】
この照明器具１には、ランプＬと、このランプＬを収容するランプケース２（本発明の本体部に該当する）とが備えられている。ランプケース２は全体として扁平な密閉容器状に形成されており、上面側から見て楕円形のランプ室３と、このランプ室３における楕円の長軸方向の一端部に接合されたポール取付室４とが一体に形成されたものである（図２および図３参照）。このランプケース２は、厚さ方向にほぼ２分され、下側が下部ケース１０、上側が上部ケース２０とされている。なお、以下の説明では、照明器具１においてポールＰが取り付けられる側（図２の右側）をポール側、これとは逆側（図２の左側）を先端側と記載する。
【００１２】
下部ケース１０は、例えばアルミダイキャストによって、上側が開放された浅型容器状に形成されている。この下部ケース１０においてランプ室３内の底壁部１１には、略楕円形に形成された投光用の出射口１１Ａが形成されている。この出射口１１Ａの周囲には、ランプ室３をその外側の領域から区切るための下部隔壁１２が上方に向けて立設されている。
【００１３】
下部隔壁１２の内側には、全周にわたってガラス固定リブ１３が上側方向に向かって突設されており、その内周は出射口１１Ａの外周よりも一回り大きくされている。このガラス固定リブ１３の内側には、ランプＬからの出射光を透過する略楕円板状のガラス板３０が嵌め込まれている。このガラス板３０の周縁には、ゴム製のガラス用パッキン３１が取り付けられている。
このガラス板３０は、連結ガラス押さえ５０（本発明の第２の落下防止部材および押さえ部材に該当）およびガラス押さえ５７によって内側から下部ケース１０に固定されている。
【００１４】
ガラス板３０の周縁のうち、楕円を長軸に沿って区切った２つの半楕円のうち一方における円弧部は、連結ガラス押さえ５０によって固定されている。連結ガラス押さえ５０は、例えば合成樹脂により形成され、長尺帯状の連結部５１と、この連結部５１に設けられた複数の止め片５２と、複数の押さえ片５３とを備えている（図７、図８を併せて参照）。複数の止め片５２は、連結部５１において一対の長辺部のうち一方に均等ピッチで設けられ、連結部５１の板面方向と垂直方向に突出されている。また、押さえ片５３は、他方の長辺部において止め片５２と対応する位置に、連結部５１の板面方向と垂直方向に、かつ止め片５２と逆方向に突出されている。また連結部５１の幅は、ガラス固定リブ１３の突設高さからガラス板３０およびガラス用パッキン３１の厚さを減じた長さに略等しくされている。
【００１５】
この連結ガラス押さえ５０は、ガラス固定リブ１３の内側に、押さえ片５３が設けられている側の長辺部を下側とするとともにこの押さえ片５３が円弧の内側を向く姿勢で、連結部５１がガラス固定リブ１３の内周面に沿うようにして取り付けられている。この状態では、押さえ片５３がガラス用パッキン３１の上面を上から押さえ、止め片５２がガラス固定リブ１３の上端面に載せられる（図４を併せて参照）。そして、止め片５２がガラス固定リブ１３の上端面にねじ止めされることにより、ガラス板３０が連結ガラス押さえ５０によって固定される。
【００１６】
この連結ガラス押さえ５０は、ポール側の端部が下部隔壁１２の近傍まで延出されるとともに、その端縁において上側の長辺部からは、固定片５４が水平方向に向かって突設されている。
一方、ランプ室３内において下部隔壁１２の近傍には、底壁部１１の一部を厚くすることにより、略ブロック状のガラス押さえ側固定部５５（本発明の接続部に該当する）が設けられている。このガラス押さえ側固定部５５におけるポール側の端部は、下部隔壁１２に接続されている。そして、連結ガラス押さえ５０の固定片５４がガラス押さえ側固定部５５の上面にガラス押さえ用ボルト５６で固定されている。
【００１７】
また、ガラス板３０の周縁のうち、他方の半楕円における円弧部は、３つのガラス押さえ５７によって固定されている。ガラス押さえ５７は、垂直に延びる樹脂板の上端部および下端部がそれぞれ水平方向に、かつ互いに逆方向に曲げられたクランク状に形成されている。クランクの上辺部、下辺部はそれぞれ止め片５８、押さえ片５９とされている。そして、押さえ片５９をガラス用パッキン３１の上面にあてがい、止め片５８をガラス固定リブ１３の上端面にねじ止めすることにより、ガラス板３０が固定されている。
【００１８】
なお、ランプ室３内において出射口１１Ａよりもややポール側の位置には、先端側に向かって開口する筒状のソケット１４が固定されている。このソケット１４には、ランプＬが取り付けられている。ランプＬの種類としては、道路用の照明器具に通常に使用されるものであればよく、例えばナトリウムランプ、メタルハライドランプ等が使用される。
【００１９】
下部ケース１０においてポール取付室４内には、ポールＰの先端を挿入するための挿入筒１５（本発明の取付部に該当する）が設けられている（図２および図３参照）。挿入筒１５は、上下方向に延びる円筒状をなしており、その上端面は天井部１５Ａによって塞がれ、下端面は開放されて外部空間と連通されている。天井部１５Ａの上面には、略四半球型のドーム状に形成されて、ポール取付室４の内部空間と挿入筒１５の内部空間とを連通するワイヤ挿入部１６が設けられている。また、挿入筒１５の外周壁には、照明器具１を固定する固定用ボルト１８を取り付けるためのタップ穴が設けられている。
【００２０】
ポールＰは、中空のパイプ状をなしており、その上端部が下側から挿入筒１５に挿入される。このポールＰには、挿入筒１５のタップ穴に整合する位置に軸孔が設けられている。そして、固定用ボルト１８を挿入筒１５のタップ穴およびポールＰの軸孔に挿通してネジ止めすることによって、ポールＰが挿入筒１５の内部に抜け止め状態に固定される（図５を併せて参照）。
【００２１】
また、ポールＰの内部には、丸棒１７が溶接されている。この丸棒１７には、落下防止ワイヤ４０（本発明の第１の落下防止部材に該当する）が取り付けられている。落下防止ワイヤ４０は、両端末にループ４１が設けられたワイヤーロープであって、丸棒１７に巻き付けた後、一方のループ４１内に他方の端部を通して締め付けることで丸棒１７に結び付けられている。
【００２２】
ポール取付室４内において下部隔壁１２の近傍には、底壁部１１の一部を厚くすることにより、略ブロック状のワイヤ側固定部４２（本発明の接続部に該当する）が設けられている。このワイヤ側固定部４２における先端側の端部は、下部隔壁１２においてガラス押さえ側固定部５５が接続されている位置の丁度裏面位置に接続されている。すなわち、ガラス押さえ側固定部５５とワイヤ側固定部４２とは下部隔壁１２を挟んで互いに連結している。そして、落下防止ワイヤ４０の他方のループ４１がワイヤ側固定部４２の上面にワイヤ固定用ボルト４３で固定されている。これにより、連結ガラス押さえ５０と落下防止ワイヤ４０とが、ガラス押さえ側固定部５５およびワイヤ側固定部４２を介して連結されている。
【００２３】
上部ケース２０は、例えばアルミダイキャストによって、下側が開放された浅型容器状に形成されている（図２参照）。上部ケース２０内において下部ケース１０の下部隔壁１２に整合する位置には、上部隔壁２１が垂下されている。この上部隔壁２１の下端縁には隔壁用パッキン２２が設けられており、上部ケース２０と下部ケース１０が組み付けられた状態では、この隔壁用パッキン２２に下部隔壁１２の上端縁がかみ合うことで、ランプ室３内が水密に保たれるようになっている。
【００２４】
上部ケース２０の天井面には、反射板２３が固定されている。この反射板２３は、ランプＬからの光を反射して下側に向かって投光させるためのものであって、アルミニウム等の光を反射する材料によって形成された、下面側が凹となる凹面鏡であって、その下端の開口形状がガラス板３０とほぼ同形の楕円形とされている。
【００２５】
この上部ケース２０は、ポール側の端部に設けられたヒンジ部２４によって下部ケース１０に対して開閉自在に連結されている。また、下部ケース１０および上部ケース２０の先端部には、ラッチが設けられており、上部ケース２０を下部ケース１０に対して開放不能にロックすることができる。
【００２６】
次に、上記のように構成された本実施形態の作用および効果について説明する。
【００２７】
照明器具１は、道路脇に立設されたポールＰの上部に、出射口１１Ａが設けられている側を下面側として取り付けられて使用される。照明器具１が点灯すると、ランプＬからの光が出射口１１Ａからガラス板３０を通して出射され、道路を照らす。
【００２８】
ここで、ポールＰに大きな衝撃が加えられるなどして、照明器具１のランプケース２が割れるなどした場合、割れが生じた位置よりも先端側の部分が道路に落下するおそれがある。しかし、本実施形態では、ポール取付室４内において、ポールＰ内に通された丸棒１７と、下部隔壁１２の外壁（ポール取付室４側の壁面）付近に設けられたワイヤ側固定部４２との間が落下防止ワイヤ４０により結ばれている。一方、ランプ室３内では、下部隔壁１２の内壁（ランプ室３側の壁面）付近に設けられたガラス押さえ側固定部５５からガラス板３０の周縁に沿って先端側付近に至るまでが、連結ガラス押さえ５０により連結されている。加えて、ガラス押さえ側固定部５５とワイヤ側固定部４２とは底壁部１１を肉厚とすることにより他の部分よりも剛性が高くされており、かつ、これらは下部隔壁１２を挟んで互いに連結されている。これにより、ポールＰからランプ室３の先端付近までが落下防止ワイヤ４０−ワイヤ側固定部４２−ガラス押さえ側固定部５５−連結ガラス押さえ５０により連結されることとなる。したがって、ランプケース２が割れるなどした場合でも、照明器具１の破損部分とポールＰとが落下防止ワイヤ４０−ワイヤ側固定部４２−ガラス押さえ側固定部５５−連結ガラス押さえ５０により連結されていることにより、破損部分をポールＰに繋ぎ止めることができる。
【００２９】
また、落下防止ワイヤ４０と連結ガラス押さえ５０との間を繋ぐワイヤ側固定部４２およびガラス押さえ側固定部５５は、下部ケース１０における底壁部１１の厚さを他の部分よりも大きくすることによって形成されているから、部品点数を増やさなくて済む。
【００３０】
さらに、連結ガラス押さえ５０が、照明器具１の落下を防止する役割とガラス板３０を固定する役割とを兼ねている。これにより、部品点数の削減を図れる。
【００３１】
＜他の実施形態＞
本発明の技術的範囲は、上記した実施形態によって限定されるものではなく、例えば、次に記載するようなものも本発明の技術的範囲に含まれる。
【００３２】
（１）上記実施形態では、ワイヤ側固定部４２およびガラス押さえ側固定部５５は、下部ケース１０における底壁部１１の厚さを他の部分よりも大きくすることによって剛性を高くされているが、例えば当該部分を別部材により補強することによって剛性を高くしても構わない。
【００３３】
（２）上記実施形態では、連結ガラス押さえ５０が、照明器具１の落下を防止する役割とガラス板３０を固定する役割とを兼ねているが、ランプ室内に設置される第２の落下防止部材をガラス押さえとは別の部材により構成しても構わない。
【００３４】
（３）上記実施形態では、ポールＰの先端を挿入するための挿入筒１５がランプケース２の下側（照射面側）に開口し、ポールＰを照明器具１の下側から取り付けるようにされていたが、図９に示すように、挿入筒６１がランプケース６２の側面（照射面と交差する面側）に開口し、照明器具６０の側方から取り付けられるタイプの照明器具６０においても、上記実施形態と同様にポールＰからランプ室３の先端付近までが落下防止ワイヤ４０−ワイヤ側固定部４２−ガラス押さえ側固定部５５−連結ガラス押さえ５０により連結されることにより照明器具６０の落下を防止する構成を採用することができる。
【００３５】
（４）第２の落下防止部材（上記実施形態では連結ガラス押さえ５０）において他端部の固定位置は上記実施形態の限りではない。すなわち、上記実施形態に示されるように、第２の落下防止部材における他端部はランプ室内においてできるだけ先端位置（取付部から遠い位置）で固定されていることが好ましいが、少なくとも、他端部が隔壁近傍に固定されている一端部を基準として取付部に対してより離間した位置に固定されていれば、支持部材からこの他端部までの間のいずれかの位置でランプケースの割れ等が生じた場合において照明器具の落下を防止できるという効果を奏する。
【図面の簡単な説明】
【００３６】
【図１】上記実施形態の照明器具がポールに取り付けられた様子を示す斜視図
【図２】照明器具の側断面図
【図３】下部ケースの上面図
【図４】連結ガラス押さえによりガラス板が固定されている様子を示す部分拡大側断面図
【図５】下部ケースにおけるポール取付室部分の部分拡大上面図
【図６】図３のＡ−Ａ線断面図
【図７】連結ガラス押さえの上面図
【図８】連結ガラス押さえの側面図
【図９】他の実施形態の照明器具において、下部ケースにおけるポール取付室部分の部分拡大上面図
【符号の説明】
【００３７】
１…照明器具
２…ランプケース（本体部）
３…ランプ室
１１Ａ…出射口
１２…下部隔壁（隔壁）
１５…挿入筒（取付部）
２１…上部隔壁（隔壁）
３０…ガラス板（透過板）
４０…落下防止ワイヤ（第１の落下防止部材）
４２…ワイヤ側固定部（接続部）
５０…連結ガラス押さえ（第２の落下防止部材・押さえ部材）
５５…ガラス押さえ側固定部（接続部）
Ｌ…ランプ
Ｐ…ポール（支持部材）
【図１】
0004596270.tif 000002
【図２】
0004596270.tif 000003
【図３】
0004596270.tif 000004
【図４】
0004596270.tif 000005
【図５】
0004596270.tif 000006
【図６】
0004596270.tif 000007
【図７】
0004596270.tif 000008
【図８】
0004596270.tif 000009
【図９】
0004596270.tif 000010